(57)【要約】  上記発明は、太陽により辿られる経路を追跡するために、それに対して回転する、垂直軸及び他の水平軸により形成され、そのエネルギー生産を可能な限り助力する、ソーラーパネル用動作支持システムに関する二軸ソーラートラッカーに関する。上記軸は、その中心及び車輪の表面上において支持される、言い換えると軌道を描く面若しくはトラック上に支持される構造体の上記構成要素である。上述の構造体は、固定された中心点上で回転し、上記トラッカーの上記垂直軸は、その中に支持され、少なくとも１つのボードがその上にある上記水平軸が組み込まれる上記構造体は、ソーラーモジュール又はパネルを受け取るために設置され、上記ボード又は複数のボードは上記ソーラーパネルが太陽光線に対して垂直を維持するように上記水平軸に対して回転することができる。
2010506415.tif 000002
【特許請求の範囲】
【請求項１】
ソーラーパネル（３）を、太陽光に対して垂直に維持することが可能なタイプのソーラートラッカー（１）であり、
水平回転軸（４）を有する回転支持構造体（５）上に固定されるソーラーパネル（３）を組み入れる少なくとも１つのボード（２）により決定される面と、
少なくとも１つのボード（２）を有する上記回転支持構造体（５）を支持する、１つの、中心にある、固定された垂直回転軸（８）がその上に配置される中心点（３０）と、
両軸（４，８）に対する回転、上記水平軸（４）に対する、少なくとも上記１つのボード（２）の第一の回転、及び軌道を描く面若しくはトラック（６）上の垂直軸（８）に対する、構造体（５）の第二の回転、を駆動させる自動システムと、
を含むことを特徴とするソーラートラッカー。
【請求項２】
垂直回転軸（８）に対して回転するために、回転支持構造体（５）の下方部分に位置し、且つ軌道を描く面（６）上に支持される車輪（７）を有することを特徴とする、請求項１に記載のソーラートラッカー。
【請求項３】
上記水平回転軸（４）は、支持構造体（５）の一部であり、且つ軌道を描く面（６）に対して垂直である格子梁（９）上に位置し、
上記格子梁（９）は垂直軸（８）により水平に二等分に分割され、これら各部分は、連結器（１２，１３）を動作させる手段により上記垂直軸と接続した上部棒（１０）及び下部棒（１１）を有し、格子梁（９）の各外側の下位端は、軌道を描く面（６）上に少なくとも１つの上記車輪（７）を有することを特徴とする、請求項１に記載のソーラートラッカー。
【請求項４】
上記回転支持構造体は、格子梁の構造物の組立品により形成されることを特徴とする、請求項１に記載のソーラートラッカー。
【請求項５】
上記回転支持構造体は、フロント部において、梁の組立品により形成されるノーズによる突起を有することを特徴とする、請求項４に記載のソーラートラッカー。
【請求項６】
上記車輪の少なくとも２つはモーター駆動し、残りの車輪は支持車輪であることを特徴とする、請求項２に記載のソーラートラッカー。
【請求項７】
各ボードは、少なくとも上記１つの水平軸に対して各ボードを回転させるための、歯車付きモーターにより駆動する少なくとも１つのウォーム・スクリューを備えていることを特徴とする、請求項１に記載のソーラートラッカー。
【請求項８】
上記ボードは、少なくとも上記１つの水平軸に対して互いに同期するように回転することを特徴とする、請求項１に記載のソーラートラッカー。
【請求項９】
上記ボードは、少なくとも上記１つの水平軸に対して互いに独立して回転することを特徴とする、請求項１に記載のソーラートラッカー。
【請求項１０】
上記ボードは、これらの座屈のみならず、上記駆動の圧縮仕事を最小化するために、重くされることを特徴とする、請求項１に記載のソーラートラッカー。
【請求項１１】
上記軌道を描く面若しくはトラック（６）は、地面又は連続的な舗装道路又はコンクリート梁又は湾曲した金属梁又は金属トラックであることを特徴とする、請求項１に記載のソーラートラッカー。
【請求項１２】
上記軌道を描く面若しくはトラック（６）は円形であることを特徴とする、請求項１に記載のソーラートラッカー。
【請求項１３】
格子梁（９）の下部棒（１１）は、格子梁（９）と上記中心垂直軸（８）との間に発生する応力を伝達するヒンジ（１２）を用いて上記垂直軸（８）と接続されることを特徴とする、請求項３に記載のソーラートラッカー。
【請求項１４】
上記格子梁の上部棒（１０）は、上記格子梁（９）と上記中心垂直軸（８）との間の応力を伝達するトング及び溝ジョイント（１３）を用いて上記垂直軸（８）と接続されることを特徴とする、請求項３に記載のソーラートラッカー。
【請求項１５】
トング及び溝ジョイント（１３）は、格子梁（９）の上部棒（１０）における軸方向応力を棒（１０）の中心垂直軸（８）に近づく方向においてのみ伝達することを特徴とする、請求項１３に記載のソーラートラッカー。
【請求項１６】
上記上部棒（１０）と上記垂直軸（８）との間の接触は、格子梁（９）の外部下位端に位置する支持車輪（７）の最大上昇位置を制限することを特徴とする、請求項３に記載のソーラートラッカー。
【請求項１７】
支持車輪（７）の最大低下位置は、上記トング及び溝ジョイント（１３）の長さにより決定されることを特徴とする、請求項１４又は１５に記載のソーラートラッカー。
【請求項１８】
格子梁（９）の上記２つの各部分は、これらのそれぞれが上記ソーラーパネル（３）の支持ボード（２）を支持して、上記水平軸（４）に対して回転又は旋回するように水平軸（４）を規定することを特徴とする、請求項３に記載のソーラートラッカー。
【請求項１９】
上記ソーラーパネル（３）の支持ボード（２）は、フレーム（１４）の最も長い側面と垂直であるガイド若しくは滑走部（１５）を有し、且つ上記フレームと、フレーム（１４，１６）上を上記ガイド又は滑走部（１５）が滑ることを可能とする付属部品（１７，１８）とを用いて、上記フレーム（１４）と連結する上記ガイド若しくは滑走部に沿って滑る長方形の金属フレーム（１４）を含むことを特徴とする、請求項１に記載のソーラートラッカー。
【請求項２０】
上記ガイド又は滑走部（１５）は、上記ガイド又は滑走部（１５）の高さをその全長において２つの部分（ａ，ｂ）に分割する偏心平面棒（１９）を有することを特徴とする、請求項１９に記載のソーラートラッカー。
【請求項２１】
上記滑り付属部品は、その中心において滑りガイド若しくは滑走部（１５）へネジ止めされた半円形状のクランプ（１７）であり、上記ガイド又は滑走部（１５）とその端部の１つにおいて一体化されており、その反対の端部においては固定されておらず、上記フレーム（１４）の最も長い側面（１６）を部分的に収容するための、上記固定されていない端部と上記ガイド若しくは滑走部（１５）の底面との間の空間を決定することを特徴とする、請求項１９又は２０に記載のソーラートラッカー。
【請求項２２】
上記滑り付属部品は、滑りガイド又は滑走部（１５）と一体化した折り畳みシート（１８）であり、且つ上記フレーム（１４）の最も長い側面（１６）を部分的に収容するための、折り畳みシート（１８）の１つの側面とガイド若しくは滑走部（１５）との間の空間を規定することを特徴とする、請求項１９又は２０に記載のソーラートラッカー。
【請求項２３】
上記ソーラーパネル（３）は、上記ガイド又は滑走部（１５）の２つの間に導入されることを特徴とする、請求項１９〜２２の何れか１項に記載のソーラートラッカー。
【請求項２４】
上記ガイド又は滑走部（１５）は、ＩＰＥ輪郭又はそれと同種のものであることを特徴とする、請求項１９〜２３の何れか１項に記載のソーラートラッカー。
【請求項２５】
上記フレーム（１４）の最も長い側面（１６）は、ＵＰＮ輪郭又はそれと同種のものであることを特徴とする、請求項１９又は２０の何れか１項に記載のソーラートラッカー。
【請求項２６】
上記ボード（２）は、各ボード（２）の角を上記フレーム（１４）の中央領域に取り付けるテンショナーを有する４つの鋼線により強化されていることを特徴とする、請求項１０及び１６の何れか１項に記載のソーラートラッカー。
【請求項２７】
上記ガイド又は滑走部（１５）の間に導入された上記ソーラーパネル（３）を固定するため、上記ガイド又は滑走部（１５）は、これらの下位端部に永久封鎖部材（２０）を有することを特徴とする、請求項１７〜１８の何れか１項に記載のソーラートラッカー。
【請求項２８】
上記ガイド又は滑走部（１５）は、上記ソーラーパネル（３）の導入及び除去を可能とするため、これらの上位端部における上側の開閉システム（２１）を備えることを特徴とする、請求項１７〜１８の何れか１項に記載のソーラートラッカー。
【請求項２９】
上記ガイド又は滑走部（１５）の上側の開閉システム（２１）はもとより、上記ガイド又は滑走部（１５）と上記フレーム（１４，１６）との間の上記付属部品用の上記クランプ（１７）には取り外しできないスクリューが用いられることを特徴とする、請求項１９及び２５の何れか１項に記載のソーラートラッカー。
【請求項３０】
上記自動システムは、制御ユニットにより制御されることを特徴とする、請求項１に記載のソーラートラッカー。
【請求項３１】
上記自動システムは、光学的構成要素を組み入れていることを特徴とする、請求項３０に記載のソーラートラッカー。
【請求項３２】
上記制御ユニットは、プログラムで制御できる自動装置であることを特徴とする、請求項３０に記載のソーラートラッカー。
【発明の詳細な説明】
【発明の詳細な説明】
【０００１】
〔技術分野〕
二軸ソーラートラッカー、本特許出願の対象は、丸一日、太陽光線に対して垂直にソーラーパネルの面の位置決めを可能にすることにより、ソーラーパネルに可能な限りエネルギー生産させるための可動支援システムに関する。本発明の主な利用は、ソーラーエネルギー分野、並びに、特に、ソーラートラッカー又はデバイスである。
【０００２】
〔上記技術の従前の状況〕
本発明の対象のようなソーラートラッカーは、上記技術上今日では知られていないが、他のソーラートラッカーは知られている。上記他のソーラートラッカーは、
・単独の中心支持材を備えた、固定されたモノポスト（monopost）又は同種のもの上の平面におけるパネル
・下方の非回転フレーム上の平面におけるパネル
・下方の回転プラットホームを備えた傾斜構造物（場所）上の複数の水平軸を有する複数面におけるパネル
に分類できる。
【０００３】
これらのタイプのトラッカーは、有利な点及び欠点を有するが、総合的に考え、製造、メンテナンス、信頼性等に関することを考慮すると、
・高価である特定の構成要素を最小限度にすること
・その製造及び組立において非常にわずかな労力及び材料しか要求されないこと
・シンプルで高効率なデバイスであること
から、提案された上記発明は多数の有利な点をもたらす。
【０００４】
同様に、軌道を描く面若しくはトラック上で回転する周知のソーラートラッカーの更なる問題は、これらが、上記軌道を描く面若しくはトラックの完全な水平性を要求することである。これは、これらの高い剛性、並びに上記表面若しくはトラックが完全に水平ではない場合には、これらの低い位置における車輪の通過により、上記車輪が表面と接触せずに浮遊させられ得るからである。それゆえ、上記支持表面若しくはトラックとの接触を保てなくなる上記車輪が主車輪であるときは、けん引不足が起こり得、その結果として組立品の回転を困難とし得る。
【０００５】
加えて、上記技術状況におけるソーラートラッカーのボード上に組み立てられるソーラーパネルは標準化されていない。それゆえ、異なるソーラーパネルは異なる寸法を有するボードが必要となる。上記技術の現在の状況においては、上記ソーラーパネルは、これらをボードのある面上に置くこと、及び他の面にネジで締めることが必要となるため、通常、パネルの平面若しくはボードを形成する輪郭にねじで締められて配置される。ここで、ほとんどの重要な因子は、疑いもなく、時間、それゆえパネルをネジにより組み立てるのに必要な労務であるが、この主な欠点は、試錐孔の作製、構成における精度、亜鉛メッキの事象におけるネジを確認することの必要性、２つの側面による上記ボードへの可触性等のようなことを遂行するにあたって要求され得る。この活動は、パネルにより形成される面の寸法が大きいと非常に困難となる。同様に、上記パネルの固定にネジを使用しているため、これらを盗むことは容易となる。
【０００６】
〔発明の説明〕
既に言及したように、本発明は二軸ソーラートラッカーに関係し、特に、垂直軸及び他の水平軸に関し、垂直軸及び他の水平軸は太陽により辿られる経路を追跡するために垂直軸及び他の水平軸に対して回転する。上記軸は、その中心及び車輪の表面上に支持され、言い換えれば、軌道を描く面若しくはトラック上に支持される、金属輪郭構造体（profile tructure）の構成要素として含まれる。上記ソーラートラッカー、及びそれゆえ上述の構造体は、固定された中心点上で回転し、上記トラッカーの上記垂直軸は当該中心点上に支持され、ソーラーモジュール又はパネルを受け入れるために少なくとも１つのボードがその上に位置する上記構造体、上記ボード又は複数のボードは、上記ソーラーパネルが太陽光線と垂直に維持できるように上記水平軸上で回転することができる。
【０００７】
ソーラーエネルギーを捕捉するために使用する上記ソーラーパネル若しくは複数のパネルは、好ましくは金属ソーラートラッカー構造体中に、特に上記構造体を形成する１以上のボード中に取り込まれるか、組み立てられる。上記ボード若しくは複数のボードも同様に太陽光線と垂直となるように維持される面を形成する。即ち、上記ボードに組み込まれる上記ソーラーパネルは、ソーラーエネルギーをより良くより多く捕捉することを達成する目的のために垂直に維持される。
【０００８】
上記ボード若しくは構造体のボード、及びそれゆえソーラーモジュール若しくはパネルの上記面は、２つの動作、垂直軸に対して回転する動作及び水平軸に対して回転する動作に規定される。ここで、両軸は互いに垂直である。上記垂直軸の下側の先端は、上記トラッカーが上記固定点に対して回転するように地面に固定され、上記垂直軸に垂直である上記水平軸が、上記ボード若しくは複数のボードの回転を水平軸に対して可能とする。１よりも多い、パネルのボードの場合、上記パネルは、例えば、上記ボードの任意のけん引要素が正確に動作しないような場合も、明らかに非同期した方法により、即ち、独立して回転することができるが、１つの面を形成する同期したその回転が薦められる。
【０００９】
本発明の対象物は、それゆえ、一日を通じて変化する太陽の位置とは無関係に、太陽光線に対するソーラーモジュール若しくはパネルの垂直性が維持されることを可能とする二軸ソーラートラッカーである。
【００１０】
上述したように、パネルの上記面は、少なくとも１つのボードにより形成され、上記ソーラートラッカー構造体と一体化され、上記ソーラーパネルと、足場に固定される、全組立品を固定するための上記中心点に対して回転する上述の回転構造体上に支持される上記ボードとを固定する。
【００１１】
その中心において上記垂直軸上に、及びその表面において車輪上に支持され、いくつかの車輪は駆動車輪であり、他の車輪は支持車輪である上記回転構造体は、上記駆動車輪（自動化された歯車付きモーターを有するモーター駆動車輪）の作用により作動するトラック若しくは水平表面（地面、平面台（planar bed plate）、コンクリート梁、金属輪郭（profile）、等）上を回転する。
【００１２】
上記トラッカーが２つのボードを有する場合に、２つの水平軸へ分割される上記水平軸は、上記回転構造体と一体化され、好ましくは自動化された駆動手段、例えば、ウォーム・スクリュー機構歯車付きモーターにより、上記ボード若しくは複数のボード、及びそれゆえソーラーモジュール若しくはパネルの面の回転を決定及び制御する。水平軸若しくは複数の軸に対する上記ボード若しくは複数のボードの回転、及びそれゆえ水平軸若しくは複数の軸に対する上記ソーラーパネルの回転は、それゆえ、容易な自動化により、一年の各日時において達成される。上記自動化されたデバイスは、１より多いボードについて共通とすることができ、又は上記複数のボードに対して独立させることができる。よって、同期するが独立して駆動するような方法で、上記ボードを回転させることができる。
【００１３】
上記水平軸若しくはその複数の軸に対する回転に加えて、垂直軸若しくは点に対する上記回転の両方は、太陽及び気象条件の状況に依存した、上記トラッカーの上記ソーラーパネルの位置を手助けする、異なるセンサーを組み込むことができる、（光学タイプ若しくはプログラムで制御できる自動化タイプの）制御ユニットを用いて制御される。
【００１４】
上記回転構造体は、格子梁の構造物組立品により形成され、上述したように車輪を介して上記軌道を描く面上で、且つ１つの中心の固定された垂直の回転点上に支持される。上記ソーラーパネルがその上に組み立てられる上記ボード若しくは複数のボードは、水平回転軸を形成するように上記構造体の一部を形成する。上記構造体は、同様に、上記構造物の組立品及びそれゆえ上記ソーラーデバイスに対して大きな安定性をもたらすノーズによりそのフロント部において突起を有する。
【００１５】
上記発明により提案される上記ソーラートラッカーは、同様に、完全な水平でない軌道を描く面上におけるその正確な動作を可能とし、それゆえ上記表面の高さ変動に適応するデバイスを有する。上記発明の他の対象は、それゆえその作動及び支持表面の高さ変動を抑制し、上記トラッカーがその上に支持される軌道を描く面の完全な水平性を必要とすることを回避する。
【００１６】
上述のことを達成するため、及びより具体的には、軌道を描く面の非水平性による上記ソーラートラッカーの機能不良を防止するため、上記本発明の上記ソーラートラッカー対象物は、上記ソーラーモジュール若しくはパネルの２つのボードにより形成されるパネル表面を有するものである。
【００１７】
上記２つのボードは、上記回転支持構造体の一部である格子梁上に支えられている。上記ソーラーデバイスを形成する上記格子梁は、各部分が動作連結器により上記垂直軸に取り付けられた上部棒及び下部棒を有するようにする上記垂直軸に接続した２つの部分に水平に等分される。上記連結器の反対側の側面及びその下部において、即ち、格子梁の外側の下位端においては、上記軌道を描く面上に少なくとも支持材及びけん引車輪が存在する。上記格子梁の上側の面及び下側の面は、上記軌道を描く面が完全に平面である場合には、１つの仮想水平軸を規定する。
【００１８】
上記ソーラートラッカーがその上を回転する上記軌道を描く面が完全に水平であることの必要性は精密な動作連結器機構を用いて抑制される。これは、上記機構は、その水平性に関係なく、上記車輪の実際の重さの作用により、上記車輪を常に軌道を描く面若しくはトラックと接触させ、その結果、けん引及び支持を失わせないからである。
【００１９】
上記動作連結器は、例えば、上記格子梁の下部棒と上記垂直軸との間のヒンジを用いて形成され、上記ヒンジは、上記梁と上記中心垂直軸との間に発生する、上記ヒンジ軸による回転曲げモーメントを除く全ての応力を伝達する。一方では、上記上部棒と上記中心軸との間の上記連結器において、上記上部棒と上記垂直軸との間の全ての応力を伝達するトング及び溝ジョイントが使用され、上記トング及び溝ジョイントは上記格子梁の上部棒における軸応力を上記中心垂直軸に近づく方向においてのみ伝達することを可能とするタイプのものである。
【００２０】
上記中心垂直軸から離れる動作の方向におけるこの応力を伝達せず、上記表面若しくはトラックが水平ではなく、高さが異なっていても、上記車輪を上記表面若しくはトラック上に支持することが可能である。
【００２１】
上記車輪の最大上昇及び下降限界は以下のように決定される。
最大上昇：上記車輪は、上記トング及び溝ジョイントにおいて、上記上部棒が上記垂直軸と接触する位置を越えて上昇できない。
【００２２】
最大下降：上記車輪は、上記上部棒と中心垂直軸との間に位置する上記トング及び溝ジョイントの長さ下限として有する。
【００２３】
上記発明の最終的な対象は、上記ボードにおけるソーラーパネルの固定のみならず、上記トラッカーにおける異なる寸法のソーラーパネルの使用を可能にし、上記ソーラーパネル若しくはモジュールの幅、高さ及び厚さの非安定性の欠点を解決し、上記最終的な取り付け作業員の要求に従って、上記トラッカーの上記ボード若しくは複数のボード上において異なるソーラーパネルの使用を可能にする。
【００２４】
上記ソーラートラッカーの上記ボード若しくは複数のボードにおける上記ソーラーモジュール若しくはパネルを固定するための上記システムは、好ましくはその内部を金属輪郭を有する上記梁が滑り、且つ上記要求されるパネルの幅離してこれらの間隔を空ける長方形のフレームにより形成される上記ボード若しくは複数のボードを要求する。上記金属輪郭は、上記ソーラーパネルがその中に収容され、且つ、上記ボードの輪郭にネジ止めする必要があるようなソーラーパネルなしに、連続的にその中に固定されるレールを形成している。上記輪郭の上記出縁は、上記パネルの活性表面上に放射する放射線を減少させない目的のため、上記パネルの骨組みの寸法と同じであるか小さいに違いない。これらの輪郭梁は、任意のＵ−、Ｉ−型部分等を有し得る。
【００２５】
その輪郭の上記レールにおいて使用される上記パネルの寸法に従って、特定の輪郭を取り込む上記ボードが形成及び組み立てられると、上記ソーラーパネルは、導入され、その中で滑り、もしクリアランスがあれば、上記レールの起こり得る過度のクリアランスによる上記レールにおける上記パネルの移動を抑制するためにシリコーンポイントを使用することが可能である。
【００２６】
上述したように、各ボードは、好ましくは、ＵＰＮ輪郭又はそれと同種のもの、及びその中のガイド若しくは滑走部を有する金属フレーム、及び好ましくはＩＰＥ若しくはＵＰＮ輪郭又はそれと同種のものにより、上記フレーム、及びそれゆえ上記ボードの外周部の境界を定める主梁と垂直に形成され、上記ガイドは、その中での滑りを上記フレーム上で可能とする付属部品を用いて上記フレームに接続される。この構成により、２つのガイド間の幅は、上記ガイド間を滑るに違いない、上記ソーラーモジュール若しくはパネルの幅と適合され得る。
【００２７】
同様に、上記ガイドは、その全長において上記ガイドの高さを２つに分割する偏心平面棒を有し、偏心のときに、上記２つの高さは異なり、異なる厚さを有するソーラーパネルの導入を可能とする。上記ガイドは、それらの低い部分において、上記ソーラーパネルが滑り、上記レールから出ることを防ぐための永久封鎖部材（permanent closure）若しくはプラグを有する。開閉システムは、上記上側部分において、上記レール上に導入される上記ソーラーパネルの不要な移動を防ぐため、配置される。
【００２８】
各パネルを強固にすることを確実にするため、これらに対応するテンショナーを有する鋼線を、対角線上に使用し、上記鋼線は、構造上、使い勝手がよく、シンプルな方法で必要な固定をすることができる“フレーム−ガイド−パネル”組立品のメンテナンスに寄与するように、ケーブルは、上記ボード若しくは複数のボードの角若しくは端をこれらのフレームの中心領域に取り付ける。
【００２９】
〔図面の説明〕
限定されない方法における説明に伴う以下の図面は、上記発明の理解を容易にする目的に以下参照される。
【００３０】
図１は、本発明の対象であるソーラートラッカーの斜視図（１ａ）、正面図（１ｂ）及び側面図（１ｃ）を示す。
【００３１】
図２は、格子梁、中心軸及び作動している組立品の側面図を示す。
【００３２】
図３は、図２の詳細なＡを示す。
【００３３】
図４は、図２の詳細なＢを示す。
【００３４】
図５は、本発明による、ボードにおけるソーラーパネルの組立品の分解図を示す。
【００３５】
図６は、図５の詳細なＡの可能な解決策を示す。
【００３６】
図７は、図５の詳細なＢを示す。
【００３７】
図８は、図５の詳細なＣを示す。
【００３８】
図９は、図５の詳細なＤを示す。
【００３９】
図１０は、図５の詳細なＤの代替物を示す。
【００４０】
図１１は、その１０の位置におけるその垂直軸に対する二軸ソーラートラッカーの回転順序を示す。
【００４１】
図１２は、ソーラーパネルの１つのボードを有する、本発明のソーラートラッカー対象物の正面図（１２ａ）及び斜視図（１２ｂ）を示す。
【００４２】
〔好ましい実施形態の説明〕
本発明のソーラートラッカー対象物は、軌道を描く面若しくはトラック、例えば、地面、平面台（planar bed plate）又は円形レール６の上に支持され、上記組立品を固定するための足場を通じて地面に固定される、その軸８及び中心点３０に対して回転する。上記ソーラートラッカーは、上記中心点３０及び軸８に対して回転する回転支持構造体５により形成され、上記ソーラートラッカーの支持構造体５は、金属格子梁の構造物の組立品９，１０，１１により形成される。上記図、特に図１１において理解できるように、順序Ａ，Ｂ，Ｃ，Ｄ，Ｈ，Ｉ，Ｊ、上記支持構造体５は、構造物の組立品、及びそれゆえにソーラーデバイスに対する大きな安定性をもたらすノーズ（nose）により、そのフロント部に突起を有する。
【００４３】
上記垂直軸、並びにそれゆえその中心基準点３０に対するソーラートラッカーの回転は、その少なくとも２つがモーター駆動する支持車輪を使用する手段により達成される。
例えば、垂直回転軸における代わりに、上記構造体の端に、歯車付きモーター又は車輪の回転駆動を設ければ、上記大きい自在アームにより、より少ない動力で上記歯車付きモーターの大きさを減じさせることが可能となる。
【００４４】
上記支持構造体５は、同様に、上記ソーラートラッカーの各ボード２の水平軸４のための支持として有用である。太陽光線を捕捉することに関与する、上記トラッカーのパネルの平面を形成する上記ソーラーパネル３は上記ボード２に固定される。
【００４５】
ウォーム・スクリュー駆動の歯車付きモーターは、例えば、水平軸に対して、ボード２、及びそれゆえパネル３の駆動のために使用される。各ボード２のための駆動デバイスを有することができることにより、同期できるが独立した上記水平軸４に対する各ボード２の動作を可能にする。
【００４６】
上記ボード２は、同様に、これらの座屈と同様に上記動作の圧縮仕事（compression work）を最小にするため、重み要素（weighting elements）を有する。
【００４７】
既に記載したように、上記二軸ソーラートラッカー１は、ソーラーパネル３の２つの支持ボード２により形成されており、各ボードは水平回転軸４と一体化しており、各ボードはそれに対応する水平軸４に対して回転し、上記軸４はソーラートラッカーの回転支持構造体５上に固定される。
【００４８】
上記構造物５は、格子梁の構造物の組立品により形成され、回転点３０と同様に車輪７を通じて軌道を描く面６上に支持されている。
【００４９】
上記２つのボード２は、軌道を描く面６と垂直に格子梁９上に支持され、垂直軸８により二等分されている。上記格子梁９の各部分は、上記垂直軸８と結合する動作手段、トング及び溝ジョイント１３及びヒンジ１２それぞれにより固定される、上部棒１０及び下部棒１１を有する。同様に、その外側の下位端において、好ましくはモーター駆動する、上記中心点３０に対して回転する支持車輪７を有する。
【００５０】
軌道を描く面６が完全には水平ではない場合には、図２から理解できるように、車輪７の１つが、表面６と接触しない空中に存在すること、及びその結果、けん引を不可能にして上記トラッカー１の回転運動に影響を与えることを防止するため、上記上部棒１０のトング及び溝ジョイント１３、並びに上記下部棒１１の上記ヒンジ１２は、これらの高さ変化に関係なく、上記車輪７を上記軌道を描く面６と接触させることを維持することが可能となる。上記ヒンジ１２は、上部棒１０のトング及び溝ジョイント１３が必要な距離滑るように、上記下部棒１１を、その端部を低くして回転させることを可能とする。上記車輪７の最大低下限界は、トング及び溝ジョイント１３の長さにより決定される。
【００５１】
上記軌道を描く面６が高くなったときに、上記システムは、一様に作動するが、この場合、上記ヒンジ１２は上記下部棒１０をその端部を持ち上げて回転させることが可能であり、トング及び溝ジョイント１３は短くなる。上記車輪７の最大上昇限界は上部棒１０及び垂直軸８間の接触により決定される。
【００５２】
もし、軌道を描く面の水平性が保証されていれば、各ボード用の水平軸の代わりに、ソーラートラッカーに、垂直軸８の各側面上の２つのボード１を有する１つの水平軸４を持たせることが可能である。
【００５３】
上記ソーラートラッカー１の対象は、その自己の名前に示されるように、太陽光線を最大量捕捉するように試みる、太陽により辿られる経路を進む。これを行うために、垂直軸８における回転動作の説明に加えて、水平軸４に対する回転動作する手段により、上記パネルが太陽光線に対して垂直であり続けるためにフレーム１４上に位置する２つのボード２におけるソーラーパネル３について述べる。
【００５４】
各ボード２は、好ましくは、格子梁９の上記上部棒１０と平行な２つの主棒１６を有する長方形のフレーム１４を有する。上記フレーム１４の側面は、ＩＰＮ輪郭（profile）又はその同種のものにより形成されている。上記フレーム１４上のパネル３を支持するため、上記トラッカー１は、主棒１６と垂直で、フレーム１４上に位置する、ガイド又は滑走部１５を有する。上記ガイド１５は、対になっており、フレーム１４上、特に、上記フレーム１４の主棒１６上を滑る。
【００５５】
上記滑り及び固定は、上記フレームの輪郭に沿って滑る、折り畳みシートタイプの滑り付属部品１８を用いて達成される。特に、上記クランプは、その中心で滑りガイド１５とネジ止めされ、その一端で上記ガイド１５と接続し、その反対端は接続されていない半円形状の要素により形成される。よって、上記クランプの自由端と上記ガイドとの間には空間があり、上記フレーム１６の最も長い側面のＩＰＮ輪郭の輪郭がその中に収容され、上記フレーム１４に沿って、レールを形成する２つの連続したガイド１５間に導入されるように、ソーラーパネル３の幅に達するまで滑った後、上記クランプ１７の取り外しできないスクリュー（inviolable screw）が堅く締められ、その結果、フレーム１４上の上記ガイド１５の位置が確保される。
【００５６】
上記滑り付属部品、上記フレームの輪郭に沿って滑る折り畳みシート１８は、上記滑りガイド又は滑走部１５と接続して、上記クランプ、主棒１６、上記フレーム１４の最も長い棒の以前の例により生じるように、折り畳みシート１８の一端とガイド若しくは部分的に収容することが意図される滑走部１５との間の空間を決定する。
【００５７】
上述では、異なる寸法のソーラーパネルを、取り付け作業員の必要性又は選択により収容するため、上記ボードを適合させるための適合システムの２つの好ましい実施形態があり、上記適合及び固定システムは、上記ガイドの滑り及びこれらのその後の固定を容易とすること、並びに上記パネルを上記ガイドに固定することの両方のための他の構成要素を使用することができる。
【００５８】
好ましくはＩＰＥ輪郭を有する上記ガイド１５は、その全長さにおける上記ガイド１５の高さを２つの部分に分割する偏心平棒１９を有し、偏心であるとき、上記２つの高さ（ａ，ｂ）は、異なり、異なる幅のみならず異なる厚さを有するソーラーパネル３を有するソーラートラッカーの使用を可能とする。
【００５９】
フレーム１４及びガイド１５により形成されるボード２を介したソーラートラッカー１におけるソーラーパネル３の組立品はシンプルであり、以下の詳述するように実施される。
【００６０】
上記ガイド１５は、まず、上記フレームの側面に沿って滑る手段及びクランプ１７の固定手段により、トラッカー１に使用される上記ソーラーパネル３の幅に適合させされる。パネル３を収容するレールの準備ができたら、上記ガイド１５の平棒１９上又は平棒１９の下側に支持される厚さに従って、上記パネル３のガイド１５間への導入が開始される。
【００６１】
上記ソーラーパネル３は、これらがガイド１５の端部に達するとき閉じされ、永久封鎖部材２０によりこれらがレールの外に進むことを防止される。そして、一度、全てのパネルが、対応するレールに導入されると、上記レールは、取り外しできない若しくは盗難防止用ナットとなり得るナットを用いて、ふたをすることにより対応する端部を固定する、ＵＰＮ輪郭２１又は同種のもののを用いて閉じられる。
【００６２】
最終的に、パネル３をソーラートラッカー１の両ボード２へ導入し、各ボード２を強めることを確保する目的で、これらに対応するテンショナーを有する鋼線２２が使用される。ここで、上記鋼線が構造的に“フレーム−ガイド−パネル”組立品のメンテナンスに寄与し、簡単な方法で、聖アンデレ十字架の形式での、便利で必要な固定をもたらすように、上記鋼線は各ボードの角及び端部をこれらのフレームの中心領域に取り付ける。
【００６３】
図１２に示す他の実施形態は、水平軸に対して回転する、ソーラーパネルの１つのボードのみを含むソーラートラッカーを示す。
【図面の簡単な説明】
【００６４】
【図１】図１は、本発明の対象であるソーラートラッカーの斜視図（１ａ）、正面図（１ｂ）及び側面図（１ｃ）を示す。
【図２】図２は、格子梁、中心軸及び作動している組立品の側面図を示す。
【図３】図３は、図２の詳細なＡを示す。
【図４】図４は、図２の詳細なＢを示す。
【図５】図５は、本発明による、ボードにおけるソーラーパネルの組立品の分解図を示す。
【図６】図６は、図５の詳細なＡの可能な解決策を示す。
【図７】図７は、図５の詳細なＢを示す。
【図８】図８は、図５の詳細なＣを示す。
【図９】図９は、図５の詳細なＤを示す。
【図１０】図１０は、図５の詳細なＤの代替物を示す。
【図１１】図１１は、その１０の位置におけるその垂直軸に対する二軸 ソーラートラッカーの回転順序を示す。
【図１２】図１２は、ソーラーパネルの１つのボードを有する、本発明のソーラートラッカー対象物の正面図（１２ａ）及び斜視図（１２ｂ）を示す。
【図１ａ】
2010506415.tif 000003
【図１ｂ】
2010506415.tif 000004
【図１ｃ】
2010506415.tif 000005
【図２】
2010506415.tif 000006
【図３】
2010506415.tif 000007
【図４】
2010506415.tif 000008
【図５】
2010506415.tif 000009
【図６】
2010506415.tif 000010
【図７】
2010506415.tif 000011
【図８】
2010506415.tif 000012
【図９】
2010506415.tif 000013
【図１０】
2010506415.tif 000014
【図１１】
2010506415.tif 000015
【図１２ａ】
2010506415.tif 000016
【図１２ｂ】
2010506415.tif 000017
【手続補正書】
【提出日】平成20年5月27日(2008.5.27)
【手続補正１】
【補正対象書類名】特許請求の範囲
【補正対象項目名】全文
【補正方法】変更
【補正の内容】
【特許請求の範囲】
【請求項１】
ソーラーパネル（３）を、太陽光に対して垂直に維持することが可能なタイプのソーラートラッカー（１）であり、
格子梁の構造物の組立品により形成される、水平回転軸（４）を有する回転支持構造体（５）上に固定されるソーラーパネル（３）を組み入れる少なくとも１つのボード（２）により決定される面と、
回転支持構造体（５）に対して中心にあり、少なくとも１つのボード（２）を有する上記回転支持構造体（５）を支持する、１つの固定された垂直回転軸（８）がその上に配置される中心点（３０）と、
回転支持構造体（５）のフロント部におけるノーズによる突起と、
両軸（４，８）に対する回転、上記水平軸（４）に対する、少なくとも上記１つのボード（２）の第一の回転、及び軌道を描く面若しくはトラック（６）上の中心点（３０）に対する、構造体（５）の垂直軸（８）の第二の回転、を駆動させる自動システムと、
を含むことを特徴とするソーラートラッカー。
【請求項２】
垂直回転軸（８）に対して回転するために、回転支持構造体（５）の下方部分に位置し、且つ軌道を描く面（６）上に支持される車輪（７）を有することを特徴とする、請求項１に記載のソーラートラッカー。
【請求項３】
上記水平回転軸（４）は、支持構造体（５）の一部であり、且つ軌道を描く面（６）に対して垂直である格子梁（９）上に位置し、
上記格子梁（９）は垂直軸（８）により水平に二等分に分割され、これら各部分は、連結器（１２，１３）を動作させる手段により上記垂直軸と接続した上部棒（１０）及び下部棒（１１）を有し、格子梁（９）の各外側の下位端は、軌道を描く面（６）上に少なくとも１つの上記車輪（７）を有することを特徴とする、請求項２に記載のソーラートラッカー。
【請求項４】
格子梁（９）の下部棒（１１）は、格子梁（９）と上記中心垂直軸（８）との間に発生する応力を伝達するヒンジ（１２）を用いて上記垂直軸（８）と接続されることを特徴とする、請求項３に記載のソーラートラッカー。
【請求項５】
上記格子梁の上部棒（１０）は、上記格子梁（９）と上記中心垂直軸（８）との間の応力を伝達するトング及び溝ジョイント（１３）を用いて上記垂直軸（８）と接続され、格子梁（９）の上部棒（１０）における軸方向応力が棒（１０）の中心垂直軸（８）に近づく方向においてのみ伝達することを特徴とする、請求項３に記載のソーラートラッカー。
【請求項６】
上記上部棒（１０）と上記垂直軸（８）との間の接触は、格子梁（９）の外部下位端に位置する支持車輪（７）の最大上昇位置を制限することを特徴とする、請求項３に記載のソーラートラッカー。
【請求項７】
支持車輪（７）の最大低下位置は、上記トング及び溝ジョイント（１３）の長さにより決定されることを特徴とする、請求項５に記載のソーラートラッカー。
【請求項８】
格子梁（９）の上記２つの各部分は、これらのそれぞれが上記ソーラーパネル（３）の支持ボード（２）を支持して、上記水平軸（４）に対して回転又は旋回するように水平軸（４）を規定することを特徴とする、請求項３に記載のソーラートラッカー。
【請求項９】
上記車輪の少なくとも２つはモーター駆動し、残りの車輪は支持車輪であることを特徴とする、請求項２に記載のソーラートラッカー。
【請求項１０】
上記軌道を描く面若しくはトラック（６）は円形であることを特徴とする、請求項１に記載のソーラートラッカー。
【請求項１１】
各ボードは、上記水平軸に対して各ボードを回転させるための、歯車付きモーターにより駆動する少なくとも１つのウォーム・スクリューを備えていることを特徴とする、請求項１に記載のソーラートラッカー。
【請求項１２】
上記ボードは、上記水平軸に対して互いに同期するように回転することを特徴とする、請求項１に記載のソーラートラッカー。
【請求項１３】
上記ボードは、上記水平軸に対して互いに独立して回転することを特徴とする、請求項１に記載のソーラートラッカー。
【請求項１４】
上記ボードは、これらの座屈のみならず、上記駆動の圧縮仕事を最小化するために、重くされることを特徴とする、請求項１に記載のソーラートラッカー。
【請求項１５】
上記軌道を描く面若しくはトラック（６）は、地面又は連続的な舗装道路又はコンクリート梁又は湾曲した金属梁又は金属トラックであることを特徴とする、請求項１に記載のソーラートラッカー。
【請求項１６】
上記ソーラーパネル（３）の支持ボード（２）は、フレーム（１４）の最も長い側面と垂直であるガイド若しくは滑走部（１５）を有し、且つ上記フレームと、フレーム（１４，１６）上を上記ガイド又は滑走部（１５）が滑ることを可能とする付属部品（１７，１８）とを用いて、上記フレーム（１４）と連結する上記ガイド若しくは滑走部に沿って滑る長方形の金属フレーム（１４）を含むことを特徴とする、請求項１に記載のソーラートラッカー。
【請求項１７】
上記ガイド又は滑走部（１５）は、上記ガイド又は滑走部（１５）の高さをその全長において２つの部分（ａ，ｂ）に分割する偏心平面棒（１９）を有することを特徴とする、請求項１６に記載のソーラートラッカー。
【請求項１８】
上記滑り付属部品は、その中心において滑りガイド若しくは滑走部（１５）へネジ止めされた半円形状のクランプ（１７）であり、上記ガイド又は滑走部（１５）とその端部の１つにおいて一体化されており、その反対の端部においては固定されておらず、上記フレーム（１４）の最も長い側面（１６）を部分的に収容するための、上記固定されていない端部と上記ガイド若しくは滑走部（１５）の底面との間の空間を決定することを特徴とする、請求項１６又は１７に記載のソーラートラッカー。
【請求項１９】
上記滑り付属部品は、滑りガイド又は滑走部（１５）と一体化した折り畳みシート（１８）であり、且つ上記フレーム（１４）の最も長い側面（１６）を部分的に収容するための、折り畳みシート（１８）の１つの側面とガイド若しくは滑走部（１５）との間の空間を規定することを特徴とする、請求項１６又は１７に記載のソーラートラッカー。
【請求項２０】
上記ソーラーパネル（３）は、上記ガイド又は滑走部（１５）の２つの間に導入されることを特徴とする、請求項１６〜１９の何れか１項に記載のソーラートラッカー。
【請求項２１】
上記ガイド又は滑走部（１５）は、ＩＰＥ輪郭又はそれと同種のものであることを特徴とする、請求項１６〜１９の何れか１項に記載のソーラートラッカー。
【請求項２２】
上記フレーム（１４）の最も長い側面（１６）は、ＵＰＮ輪郭又はそれと同種のものであることを特徴とする、請求項１６〜１９の何れか１項に記載のソーラートラッカー。
【請求項２３】
上記ボード（２）は、各ボード（２）の角を上記フレーム（１４）の中央領域に取り付けるテンショナーを有する４つの鋼線により強化されていることを特徴とする、請求項８及び１３の何れか１項に記載のソーラートラッカー。
【請求項２４】
上記ガイド又は滑走部（１５）の間に導入された上記ソーラーパネル（３）を固定するため、上記ガイド又は滑走部（１５）は、これらの下位端部に永久封鎖部材（２０）を有することを特徴とする、請求項１６〜１７の何れか１項に記載のソーラートラッカー。
【請求項２５】
上記ガイド又は滑走部（１５）は、上記ソーラーパネル（３）の導入及び除去を可能とするため、これらの上位端部における上側の開閉システム（２１）を備えることを特徴とする、請求項１６〜１７の何れか１項に記載のソーラートラッカー。
【請求項２６】
上記ガイド又は滑走部（１５）の上側の開閉システム（２１）はもとより、上記ガイド又は滑走部（１５）と上記フレーム（１４，１６）との間の上記付属部品用の上記クランプ（１７）には取り外しできないスクリューが用いられることを特徴とする、請求項１６及び２２の何れか１項に記載のソーラートラッカー。
【請求項２７】
上記自動システムは、制御ユニットにより制御されることを特徴とする、請求項１に記載のソーラートラッカー。
【請求項２８】
上記自動システムは、光学的構成要素を組み入れていることを特徴とする、請求項２７に記載のソーラートラッカー。
【請求項２９】
上記制御ユニットは、プログラムで制御できる自動装置であることを特徴とする、請求項２７に記載のソーラートラッカー。
【手続補正書】
【提出日】平成21年4月10日(2009.4.10)
【手続補正１】
【補正対象書類名】特許請求の範囲
【補正対象項目名】全文
【補正方法】変更
【補正の内容】
【特許請求の範囲】
【請求項１】
ソーラーパネル（３）を、太陽光に対して垂直に維持することが可能なタイプのソーラートラッカー（１）であり、
格子梁の構造物の組立品により形成される、水平回転軸（４）を有する回転支持構造体（５）上に固定されるソーラーパネル（３）を組み入れる少なくとも１つのボード（２）により決定される面と、
回転支持構造体（５）に対して中心にあり、少なくとも１つのボード（２）を有する上記回転支持構造体（５）を支持する、１つの固定された垂直回転軸（８）がその上に配置される中心点（３０）と、
回転支持構造体（５）のフロント部におけるノーズによる突起と、
両軸（４，８）に対する回転、上記水平軸（４）に対する、少なくとも上記１つのボード（２）の第一の回転、及び軌道を描く面若しくはトラック（６）上の中心点（３０）に対する、構造体（５）の垂直軸（８）の第二の回転、を駆動させる自動システムと、
を含むことを特徴とするソーラートラッカー。
【請求項２】
垂直回転軸（８）に対して回転するために、回転支持構造体（５）の下方部分に位置し、且つ軌道を描く面（６）上に支持される車輪（７）を有することを特徴とする、請求項１に記載のソーラートラッカー。
【請求項３】
上記水平回転軸（４）は、支持構造体（５）の一部であり、且つ軌道を描く面（６）に対して垂直である格子梁（９）上に位置し、
上記格子梁（９）は垂直軸（８）により水平に二等分に分割され、これら各部分は、連結器（１２，１３）を動作させる手段により上記垂直軸と接続した上部棒（１０）及び下部棒（１１）を有し、格子梁（９）の各外側の下位端は、軌道を描く面（６）上に少なくとも１つの上記車輪（７）を有することを特徴とする、請求項２に記載のソーラートラッカー。
【請求項４】
格子梁（９）の下部棒（１１）は、格子梁（９）と上記中心垂直軸（８）との間に発生する応力を伝達するヒンジ（１２）を用いて上記垂直軸（８）と接続されることを特徴とする、請求項３に記載のソーラートラッカー。
【請求項５】
上記格子梁の上部棒（１０）は、上記格子梁（９）と上記中心垂直軸（８）との間の応力を伝達するトング及び溝ジョイント（１３）を用いて上記垂直軸（８）と接続され、格子梁（９）の上部棒（１０）における軸方向応力が棒（１０）の中心垂直軸（８）に近づく方向においてのみ伝達することを特徴とする、請求項３に記載のソーラートラッカー。
【請求項６】
上記上部棒（１０）と上記垂直軸（８）との間の接触は、格子梁（９）の外部下位端に位置する支持車輪（７）の最大上昇位置を制限することを特徴とする、請求項３に記載のソーラートラッカー。
【請求項７】
支持車輪（７）の最大低下位置は、上記トング及び溝ジョイント（１３）の長さにより決定されることを特徴とする、請求項５に記載のソーラートラッカー。
【請求項８】
格子梁（９）の上記２つの各部分は、これらのそれぞれが上記ソーラーパネル（３）の支持ボード（２）を支持して、上記水平軸（４）に対して回転又は旋回するように水平軸（４）を規定することを特徴とする、請求項３に記載のソーラートラッカー。
【請求項９】
上記車輪の少なくとも２つはモーター駆動し、残りの車輪は支持車輪であることを特徴とする、請求項２に記載のソーラートラッカー。
【請求項１０】
各ボードは、上記水平軸に対して各ボードを回転させるための、歯車付きモーターにより駆動する少なくとも１つのウォーム・スクリューを備えていることを特徴とする、請求項１に記載のソーラートラッカー。
【請求項１１】
上記ボードは、上記水平軸に対して互いに同期するように回転することを特徴とする、請求項１に記載のソーラートラッカー。
【請求項１２】
上記ボードは、上記水平軸に対して互いに独立して回転することを特徴とする、請求項１に記載のソーラートラッカー。
【請求項１３】
上記ソーラーパネル（３）の支持ボード（２）は、フレーム（１４）の最も長い側面と垂直である、上記ガイド又は滑走部（１５）の２つの間にソーラーパネル（３）を導入するためのガイド若しくは滑走部（１５）を有し、且つ上記フレーム、フレーム（１４，１６）上を上記ガイド又は滑走部（１５）が滑ることを可能とする付属部品（１７，１８）を用いて上記フレーム（１４）と連結する上記ガイド若しくは滑走部に沿って滑る長方形の金属フレーム（１４）を含むことを特徴とする、請求項１に記載のソーラートラッカー。
【請求項１４】
上記滑り付属部品は、その中心において滑りガイド若しくは滑走部（１５）へネジ止めされた半円形状のクランプ（１７）であり、上記ガイド又は滑走部（１５）とその端部の１つにおいて一体化されており、その反対の端部においては固定されておらず、上記フレーム（１４）の最も長い側面（１６）を部分的に収容するための、上記固定されていない端部と上記ガイド若しくは滑走部（１５）の底面との間の空間を決定することを特徴とする、請求項１６又は１７に記載のソーラートラッカー。
【請求項１５】
上記滑り付属部品は、滑りガイド又は滑走部（１５）と一体化した折り畳みシート（１８）であり、且つ上記フレーム（１４）の最も長い側面（１６）を部分的に収容するための、折り畳みシート（１８）の１つの側面とガイド若しくは滑走部（１５）との間の空間を規定することを特徴とする、請求項１３に記載のソーラートラッカー。
【手続補正２】
【補正対象書類名】明細書
【補正対象項目名】０００５
【補正方法】変更
【補正の内容】
【０００５】
加えて、上記技術状況におけるソーラートラッカーのボード上に組み立てられるソーラーパネルは標準化されていない。それゆえ、異なるソーラーパネルは異なる寸法を有するボードが必要となる。上記技術の現在の状況においては、上記ソーラーパネルは、これらをボードのある面上に置くこと、及び他の面にネジで締めることが必要となるため、通常、パネルの平面若しくはボードを形成する輪郭にねじで締められて配置される。ここで、ほとんどの重要な因子は、疑いもなく、時間、それゆえパネルをネジにより組み立てるのに必要な労務であるが、この主な欠点は、試錐孔の作製、構成における精度、亜鉛メッキの事象におけるネジを確認することの必要性、２つの側面による上記ボードへの可触性等のようなことを遂行するにあたって要求され得る。この活動は、パネルにより形成される面の寸法が大きいと非常に困難となる。同様に、上記パネルの固定にネジを使用しているため、これらを盗むことは容易となる。米国特許番号US-4256088-Aには、太陽を追跡するように可動状態で取り付けられ、モジュール化されたポイントフォーカシングソーラー集中パネル（modularized point focusing solar concentrating panel）が記載されている。このパネルは、全体的に放物状である反射表面と、構造的完全性を改善し、風の抵抗を最小化し、急速に且つ容易に収容することが可能な、三角形の又はほぼ三角形の構造とを有する。米国出願番号US-2001036024-A1には、曲げられたガラスミラーを有するマトリックスソーラーディッシュ集中器（matrix solar dish concentrator）が、その放物線の対称軸と平行する、その放物線を横切る直交面からパターン化されており、このパターンは、全ての放物状の構造を均一にすることが記載されている。上記ソーラーディッシュは、自転車の車輪と共に太陽発射方位を追跡し、テレビ衛星ディッシュ差動装置（television satellite dish actuator）と共に太陽の頂点を追跡する。ソーラーレシーバーは、集中した円錐状の太陽光の外側にある低遮光構造体により支持される。
【国際調査報告】
2010506415.tif 000018
2010506415.tif 000019
2010506415.tif 000020
2010506415.tif 000021
2010506415.tif 000022
2010506415.tif 000023